(57)【特許請求の範囲】
【請求項１】
電子ペン読取専用ドットパターンが印刷され、ＴＶ番組を特定するコードを記入するためのコード記載欄が形成された録画予約シートと、欄ごとにＴＶ番組を特定するコードと関連付けられた電子ペン読取専用ドットパターンが印刷されたＴＶ番組表示欄が形成された印刷物と、電子ペンと、録画装置とからなる録画予約システムであって、
前記電子ペンは、
筆記手段と、
前記ドットパターンを読み取る光学読取手段と、
読み取ったデータを前記録画装置へ送信する送信手段とを有し、
前記録画装置は、
前記電子ペンによる読取データを受信する通信手段と、
前記通信手段によって受信された前記読取データが、前記録画予約シートに対して記入されて生成されたストロークデータか、前記ＴＶ番組表示欄への記入によるデータかを判断する判断手段と、
前記判断手段によって、前記読取データが、前記録画予約シートに対して記入されて生成されたストロークデータと判断された場合には、ストロークデータをテキストデータに変換してコードを生成し、前記判断手段によって、前記読取データが、前記ＴＶ番組表示欄への記入によるデータと判断された場合には、登録されたドットパターンデータの照合を行い、対応するコードを生成する録画予約データ生成手段と、
前記コードに基づいて録画予約を設定する録画予約手段と、
前記録画予約手段による録画予約設定にしたがって録画する録画手段とを有する
ことを特徴とする録画予約システム。
【請求項２】
電子ペンと、録画装置とからなる録画予約システムであって、
前記電子ペンは、
筆記手段と、
電子ペン読取専用ドットパターンを読み取る光学読取手段と、
読み取ったデータを前記録画装置へ送信する送信手段とを有し、
前記録画装置は、
前記電子ペンによる読取データを受信する通信手段と、
前記読取データが、電子ペン読取専用ドットパターンが印刷されＴＶ番組を特定するコードを記入するためのコード記載欄が形成された録画予約シートに対して記入されて生成されたストロークデータか、欄ごとにＴＶ番組を特定するコードと関連付けられた電子ペン読取専用ドットパターンが印刷されたＴＶ番組表示欄が形成された印刷物の前記ＴＶ番組表示欄への記入によるデータかを判断する判断手段と、
前記判断手段によって、前記読取データが、前記録画予約シートに対して記入されて生成されたストロークデータと判断された場合には、ストロークデータをテキストデータに変換してコードを生成し、前記判断手段によって、前記読取データが、前記ＴＶ番組表示欄への記入によるデータと判断された場合には、登録されたドットパターンデータの照合を行い、対応するコードを生成する録画予約データ生成手段と、
前記コードに基づいて録画予約を設定する録画予約手段と、
前記録画予約手段による録画予約設定にしたがって録画する録画手段と、を有することを特徴とする録画予約システム。
【請求項３】
電子ペン読取専用ドットパターンが印刷され、ＴＶ番組を特定するコードを記入するためのコード記載欄が形成された録画予約シートと、欄ごとにＴＶ番組を特定するコードと関連付けられた電子ペン読取専用ドットパターンが印刷されたＴＶ番組表示欄が形成された印刷物と、電子ペンと、録画装置と、管理サーバとからなる録画予約システムであって、
前記電子ペンは、
筆記手段と、
前記ドットパターンを読み取る光学読取手段と、
読み取ったデータを前記録画装置へ送信する送信手段とを有し、
前記録画装置は、
前記電子ペンによる読取データを前記管理サーバに送信し且つ前記管理サーバから返信されたコードを受信する通信手段と、
前記コードに基づいて録画予約を設定する録画予約手段と、
前記録画予約手段による録画予約設定にしたがって録画する録画手段とを有し、
前記管理サーバは、
前記電子ペンによる読取データを前記録画装置から受信し且つ前記録画装置へ前記コードを送信する通信手段と、
前記通信手段によって受信された前記読取データが、前記録画予約シートに対して記入されて生成されたストロークデータか、前記ＴＶ番組表示欄への記入によるデータかを判断する判断手段と、
前記判断手段によって、前記読取データが、前記録画予約シートに対して記入されて生成されたストロークデータと判断された場合には、ストロークデータをテキストデータに変換してコードを生成し、前記判断手段によって、前記読取データが、前記ＴＶ番組表示欄への記入によるデータと判断された場合には、登録されたドットパターンデータの照合を行い、対応するコードを生成する録画予約データ生成手段と
を有することを特徴とする録画予約システム。
【請求項４】
電子ペンと、録画装置と、管理サーバとからなる録画予約システムであって、
前記電子ペンは、
筆記手段と、
電子ペン読取専用ドットパターンを読み取る光学読取手段と、
読み取ったデータを前記録画装置へ送信する送信手段とを有し、
前記録画装置は、
前記電子ペンによる読取データを前記管理サーバに送信し且つ前記管理サーバから返信されたコードを受信する通信手段と、
前記コードに基づいて録画予約を設定する録画予約手段と、
前記録画予約手段による録画予約設定にしたがって録画する録画手段とを有し、
前記管理サーバは、
前記電子ペンによる読取データを前記録画装置から受信し且つ前記録画装置へ前記コードを送信する通信手段と、
前記読取データが、電子ペン読取専用ドットパターンが印刷されＴＶ番組を特定するコードを記入するためのコード記載欄が形成された録画予約シートに対して記入されて生成されたストロークデータか、欄ごとにＴＶ番組を特定するコードと関連付けられた電子ペン読取専用ドットパターンが印刷されたＴＶ番組表示欄が形成された印刷物における前記ＴＶ番組表示欄への記入によるデータかを判断する判断手段と、
前記判断手段によって、前記読取データが、前記録画予約シートに対して記入されて生成されたストロークデータと判断された場合には、ストロークデータをテキストデータに変換してコードを生成し、前記判断手段によって、前記読取データが、前記ＴＶ番組表示欄への記入によるデータと判断された場合には、登録されたドットパターンデータの照合を行い、対応するコードを生成する録画予約データ生成手段と、
を有することを特徴とする録画予約システム。
【請求項５】
前記録画予約シートには、予約機能エリアと予約取消機能エリアとが、コード記載欄と対応付けられて形成されており、
前記録画予約データ生成手段は、
前記読取データが、前記予約機能エリアへの記入により生成されたものと判断した場合には、当該予約機能エリアに対応する前記コード記載欄に対して記入されて生成されたストロークデータをテキストデータに変換して得られたコードについて、録画予約を指示するデータを生成し、
前記読取データが、前記予約取消機能エリアへの記入により生成されたものと判断した場合には、当該予約取消機能エリアに対応する前記コード記載欄に対して記入されて生成されたストロークデータをテキストデータに変換して得られたコードについて、録画予約の取消を指示するデータを生成し、
前記録画予約手段は、前記録画予約を指示するデータを受けて録画予約を設定し、前記録画予約の取消を指示するデータを受けて録画予約を取り消すこと
を特徴とする請求項１〜４のうちいずれか一項に記載の録画予約システム。
【請求項６】
前記コードはＧコードであることを特徴とする請求項１〜５のうちいずれか一項に記載の録画予約システム。
【発明の詳細な説明】
【技術分野】
【０００１】
本発明は、録画予約システムに関し、詳しくは電子ペンを使用して、ＴＶ番組表示欄などに印刷されたＧコード、および、ドットパターンによって録画番組を予約する録画予約システムに関する。
【背景技術】
【０００２】
従来、テレビ番組をビデオテープやＤＶＤ、ハードディスク等に録画する方法として、Ｇコード（録画を予約する場合に必要な「日付」，「チャンネル番号」，「番組開始時間」，「番組の長さ」の４要素を最大８桁の数字に置き換えたコード）を利用して予約する方法が使われている。
Ｇコードを利用すると、番組の予約が容易にできるようになるが、新聞や専門誌の番組表示欄を見ながら指で設定するために、押し間違えなどによって、一回の操作でできなかったり、間違って設定したことに気が付かず違う番組が録画されることが多かった。
【０００３】
そこで、確実に、早い操作で録画予約を行うために「Ｇコード読み取りリモコン」なる装置が提供されている（例えば、特許文献１参照）。
特許文献１に記載の技術によれば、Ｇコードを用いて録画予約をする際、新聞や専門誌に印刷されたＧコードの上に静置型スキャナを置いて、Ｇコードを読取り、文字列のまま、または、バーコードに変換してＶＴＲに送信して予約するというものである。
【０００４】
【特許文献１】特開平７−２２０３２４号公報
【発明の開示】
【発明が解決しようとする課題】
【０００５】
前述の特許文献に記載の技術では、予約した番組を確認するために、テレビ、または、ＶＴＲの電源を入れ、表示部に予約情報を表示させて確認しなければならなかった。
【課題を解決するための手段】
【０００６】
前記課題を解決する本発明の録画予約システムは、電子ペン読取専用ドットパターンが印刷され、ＴＶ番組を特定するコードを記入するためのコード記載欄が形成された録画予約シートと、欄ごとにＴＶ番組を特定するコードと関連付けられた電子ペン読取専用ドットパターンが印刷されたＴＶ番組表示欄が形成された印刷物と、電子ペンと、録画装置とからなる録画予約システムであって、
前記電子ペンは、筆記手段と、前記ドットパターンを読み取る光学読取手段と、読み取ったデータを前記録画装置へ送信する送信手段とを有し、前記録画装置は、前記電子ペンによる読取データを受信する通信手段と、前記通信手段によって受信された前記読取データが、前記録画予約シートに対して記入されて生成されたストロークデータか、前記ＴＶ番組表示欄への記入によるデータかを判断する判断手段と、前記判断手段によって、前記読取データが、前記録画予約シートに対して記入されて生成されたストロークデータと判断された場合には、ストロークデータをテキストデータに変換してコードを生成し、前記判断手段によって、前記読取データが、前記ＴＶ番組表示欄への記入によるデータと判断された場合には、登録されたドットパターンデータの照合を行い、対応するコードを生成する録画予約データ生成手段と、前記コードに基づいて録画予約を設定する録画予約手段と、前記録画予約手段による録画予約設定にしたがって録画する録画手段とを有する
ことを特徴とする。
【０００７】
また、本発明の録画予約システムは、電子ペンと、録画装置とからなる録画予約システムであって、
前記電子ペンは、筆記手段と、電子ペン読取専用ドットパターンを読み取る光学読取手段と、読み取ったデータを前記録画装置へ送信する送信手段とを有し、前記録画装置は、前記電子ペンによる読取データを受信する通信手段と、前記読取データが、電子ペン読取専用ドットパターンが印刷されＴＶ番組を特定するコードを記入するためのコード記載欄が形成された録画予約シートに対して記入されて生成されたストロークデータか、欄ごとにＴＶ番組を特定するコードと関連付けられた電子ペン読取専用ドットパターンが印刷されたＴＶ番組表示欄が形成された印刷物の前記ＴＶ番組表示欄への記入によるデータかを判断する判断手段と、前記判断手段によって、前記読取データが、前記録画予約シートに対して記入されて生成されたストロークデータと判断された場合には、ストロークデータをテキストデータに変換してコードを生成し、前記判断手段によって、前記読取データが、前記ＴＶ番組表示欄への記入によるデータと判断された場合には、登録されたドットパターンデータの照合を行い、対応するコードを生成する録画予約データ生成手段と、前記コードに基づいて録画予約を設定する録画予約手段と、前記録画予約手段による録画予約設定にしたがって録画する録画手段と、を有することを特徴とする。
【０００８】
また、本発明の録画予約システムは、電子ペン読取専用ドットパターンが印刷され、ＴＶ番組を特定するコードを記入するためのコード記載欄が形成された録画予約シートと、欄ごとにＴＶ番組を特定するコードと関連付けられた電子ペン読取専用ドットパターンが印刷されたＴＶ番組表示欄が形成された印刷物と、電子ペンと、録画装置と、管理サーバとからなる録画予約システムであって、
前記電子ペンは、筆記手段と、前記ドットパターンを読み取る光学読取手段と、読み取ったデータを前記録画装置へ送信する送信手段とを有し、前記録画装置は、前記電子ペンによる読取データを前記管理サーバに送信し且つ前記管理サーバから返信されたコードを受信する通信手段と、前記コードに基づいて録画予約を設定する録画予約手段と、前記録画予約手段による録画予約設定にしたがって録画する録画手段とを有し、前記管理サーバは、前記電子ペンによる読取データを前記録画装置から受信し且つ前記録画装置へ前記コードを送信する通信手段と、前記通信手段によって受信された前記読取データが、前記録画予約シートに対して記入されて生成されたストロークデータか、前記ＴＶ番組表示欄への記入によるデータかを判断する判断手段と、前記判断手段によって、前記読取データが、前記録画予約シートに対して記入されて生成されたストロークデータと判断された場合には、ストロークデータをテキストデータに変換してコードを生成し、前記判断手段によって、前記読取データが、前記ＴＶ番組表示欄への記入によるデータと判断された場合には、登録されたドットパターンデータの照合を行い、対応するコードを生成する録画予約データ生成手段とを有することを特徴とする。
【０００９】
また、本発明の録画予約システムは、電子ペンと、録画装置と、管理サーバとからなる録画予約システムであって、
前記電子ペンは、筆記手段と、電子ペン読取専用ドットパターンを読み取る光学読取手段と、読み取ったデータを前記録画装置へ送信する送信手段とを有し、前記録画装置は、前記電子ペンによる読取データを前記管理サーバに送信し且つ前記管理サーバから返信されたコードを受信する通信手段と、前記コードに基づいて録画予約を設定する録画予約手段と、前記録画予約手段による録画予約設定にしたがって録画する録画手段とを有し、
前記管理サーバは、前記電子ペンによる読取データを前記録画装置から受信し且つ前記録画装置へ前記コードを送信する通信手段と、前記読取データが、電子ペン読取専用ドットパターンが印刷されＴＶ番組を特定するコードを記入するためのコード記載欄が形成された録画予約シートに対して記入されて生成されたストロークデータか、欄ごとにＴＶ番組を特定するコードと関連付けられた電子ペン読取専用ドットパターンが印刷されたＴＶ番組表示欄が形成された印刷物における前記ＴＶ番組表示欄への記入によるデータかを判断する判断手段と、前記判断手段によって、前記読取データが、前記録画予約シートに対して記入されて生成されたストロークデータと判断された場合には、ストロークデータをテキストデータに変換してコードを生成し、前記判断手段によって、前記読取データが、前記ＴＶ番組表示欄への記入によるデータと判断された場合には、登録されたドットパターンデータの照合を行い、対応するコードを生成する録画予約データ生成手段と、
を有することを特徴とする。
【００１０】
さらに、前記録画予約シートには、予約機能エリアと予約取消機能エリアとが、コード記載欄と対応付けられて形成されており、
前記録画予約データ生成手段は、前記読取データが、前記予約機能エリアへの記入により生成されたものと判断した場合には、当該予約機能エリアに対応する前記コード記載欄に対して記入されて生成されたストロークデータをテキストデータに変換して得られたコードについて、録画予約を指示するデータを生成し、前記読取データが、前記予約取消機能エリアへの記入により生成されたものと判断した場合には、当該予約取消機能エリアに対応する前記コード記載欄に対して記入されて生成されたストロークデータをテキストデータに変換して得られたコードについて、録画予約の取消を指示するデータを生成し、前記録画予約手段は、前記録画予約を指示するデータを受けて録画予約を設定し、前記録画予約の取消を指示するデータを受けて録画予約を取り消すこと
を特徴とする。
【００１１】
また、前記コードはＧコードであることを特徴とする。
【発明の効果】
【００１２】
本発明の録画システムによれば、録画予約シートに電子ペンによって記入されたコードから、ＴＶ番組を特定するコードを生成することができ、同コードに基づき録画予約を設定するため、録画予約者は、容易に、早く、しかも確実に録画の予約を行うことができる。
【発明を実施するための最良の形態】
【００１３】
以下、図面を参照して本実施形態の録画予約システムについて説明する。
図１は、本実施形態の録画予約システムを構築するための装置，媒体について説明するための図，図２は、電子ペン読取専用ドットパターンが印刷された録画予約シート４の一例について説明するための図，図３は、電子ペン読取専用ドットパターンが印刷されたテレビジョン（以下、ＴＶという）番組表示欄４０の録画予約領域の一例について説明するための図，図４は、ＴＶ番組表示欄４０を使用して録画予約する場合の操作手順について説明するための図，図５は、録画装置２のＧコード変換機能により録画予約する処理手順について説明するための図，図６は、電子ペン１について説明するための図，図７は、電子ペン読取専用ドットパターンについて説明するための図，である。
【００１４】
図１を参照して、本実施形態の録画予約システムを構築するための装置，媒体について説明する。
ＴＶ番組予約場所には、電子ペン１，録画装置２，電子ペン読取専用ドットパターンが印刷された録画予約シート４を用意する。録画予約シート４は、新聞や、専門誌のＴＶ番組表示欄４０でもよい。
本実施形態の録画予約システムを運用する側では、電子ペンシステム管理サーバ３を設置し、電子ペン１と、録画予約シートに印刷されたドットパターンの管理を行う。
以下の説明では、電子ペン１，電子ペン読取専用ドットパターンを印刷した録画予約シート４は、スウェーデン国の「Ａｎｏｔｏ社」で開発されたアノトペン１、および、アノトペン専用ドットパターンが印刷された録画予約シート４、または、アノトペン専用ドットパターンが印刷されたＴＶ番組表示欄４０の例で説明する。
【００１５】
録画予約者は、新聞などのＴＶ番組表示欄４０を見て、録画しようとするＴＶ番組を探し、ＴＶ番組名の下に印刷されているＧコードを、電子ペン１を使用して録画予約シート４の所定の場所に記載する。
続けて、電子ペン１で録画予約シート４に印刷された予約枠（枡で区画されている機能情報エリア）にタッチし、録画予約する。予約済みであることが後で判るように、予約枠の中にチェックマークを記載してもよい。
複数録画予約する場合は、複数のＧコードを、電子ペン１を使用して録画予約シート４の所定の場所に記載する。録画予約した後で、取り消したい場合は、取消枠の中にチェックマークを記載する。
【００１６】
録画予約シート４に記載されたＧコードは、電子ペン１の送信部から録画装置２に有線または無線で送信される。録画装置２は、電子ペン１から受信したドットパターンの座標情報を電子ペンシステムサーバ３の一つ、ＰＬＳ（Ｐａｐｅｒ  Ｌｏｏｋ−ｕｐ  Ｓｅｒｖｉｃｅ）サーバ（電子ペンシステムサーバの項で詳述する。）に送信する。ＰＬＳサーバは、電子ペンシステムサーバ３のもう一つのサーバ、ＡＳＨ（Ａｐｐｒｉｃａｔｉｏｎ  Ｓｅｒｖｉｃｅ  Ｈａｎｄｌｅｒ）サーバのＵＲＬ（Ｕｎｉｆｏｒｍ  Ｒｅｓｏｕｒｃｅ  Ｌｏｃａｔｏｒ）を録画装置２に返信する。録画装置２は、録画予約されたＧコードのストロークデータをＡＳＨサーバに送信する。
ＡＳＨサーバは、Ｇコードのストロークデータをテキストデータに変換して録画装置２に返信する。
録画装置２は、装置内に格納されたＧコード処理プログラムによってＴＶ番組の録画予約処理を行う。
【００１７】
図６を参照して、電子ペン１について説明する。
電子ペン１は、インクカートリッジ１０８を伴った筆記部１０６，ドットパターンを読み取るデジタルカメラによる撮像部１０５，デジタルカメラで読み取られた筆記情報（ストロークの座標情報）を記憶する記憶部１０３，録画装置２にストロークの座標情報を送信する通信部１０２，これらの機能を制御する制御部１０４，電子ペン用の圧力センサ１０７，図示していないが電源部を電子ペン１の筐体１０１の内部に搭載している。
電子ペン１は、録画予約シート４に記載されたＧコードのストロークに沿ったドットパターン情報と、機能情報エリアのドットパターン情報を撮像部１０５で読み取って記憶部１０３で記憶し、通信部１０２から録画装置２に送信する。
通信部１０２は、ＵＳＢ（Ｕｎｉｖｅｒｓａｌ  Ｓｅｒｉａｌ  Ｂｕｓ）対応、または、Ｂｌｕｅｔｏｏｔｈ対応となっている。
筆記部１０６は、電子ペン１の筐体１０１に組み込まれており、単に筆記具として使用することもできるようになっている。
【００１８】
筆記部１０６は、筆記イメージを可視状態で記載部に残す役割の他に、デジタルカメラによる撮像部１０５とドットパターン印刷面との距離を一定にする役割を担っている。
筆記部１０６が電子ペン筐体１０１に装着されたときに、インクカートリッジ１０８側の先端が、電子ペン筐体１０１に取り付けられた電子ペン用の圧力センサ１０７に接触するようになっている。
この圧力センサ１０７は、情報の記載が開始されることを制御部１０４に伝える役割と、筆圧の強弱を読み分ける役割を備えている。
そのために、本実施の形態では利用しないが、署名の際に筆圧による特徴を把握し、署名している者が、例えば、登録されている者か否かを判定することができるようになっている。
インクカートリッジ１０８の残量を確認する場合、または、充填する場合は、例えば、筆記部１０６を電子ペン筐体１０１の先端から引き抜いてインク残量の確認、または、インクの補充を行う。
【００１９】
図７を参照して、電子ペン専用ドットパターンについて説明する。
ｃ図に示すドットパターンは、アノトペン専用ドットパターンの例である（ｃ図に示す縦横の仮想線は、説明し易くするために便宜上記載しており、実際には印刷されていない）。
ドットパターンの各ドットは、０．３ｍｍ間隔で形成された直角に交わる縦横の仮想線の交点近傍に、それぞれ異なる４方向の何れかに配置され、（電子ペン１の撮像部で認識可能な）赤外線で読取ることができるインキで印刷されている。
ｄ図は、判りやすくするために、ｃ図に示したドットパターンの、それぞれのドットの意味を数値に変換して示した一例である。
前述のＡｎｏｔｏ社のシステムでは、３６個のドット（約４ｍｍ2の内側に印刷されたドット群）を１単位情報として扱っている。
【００２０】
電子ペン１で、例えば、録画予約シート４に文字や記号を記載すると、ペン先がどの位置をなぞっているか、その近傍に印刷されたドットパターンを電子ペン１に内蔵された撮像部で読み取って、ペン先が置かれた、または、移動した単位情報から座標を割り出し、電子ペン１の記憶部に記憶するようになっている。
【００２１】
電子ペン管理サーバ３は、多くの場合、ＰＬＳサーバとＡＳＨサーバに分けられて使用される。
ＰＬＳサーバと、ＡＳＨサーバとは、一般的には別々に管理されている独立したサーバであるが、ＰＬＳサーバと、ＡＳＨサーバを同一のサーバ内に存在させることもできる。
一つのアプリケーションには、同一のドットパターンが存在しないように管理されており、録画装置２から送信されたドットパターンの座標情報は、まず、ＰＬＳサーバに送信される。ＰＬＳサーバは、受信したドットパターンの座標情報から、使用されているアプリケーションを支援するＡＳＨサーバのＵＲＬを割り出してＡＳＨサーバのＵＲＬを録画装置２に返す。録画装置２は、ストローク座標情報を前述のＡＳＨサーバのＵＲＬに送信する。
【００２２】
録画装置２は、先ず電子ペン１から送信されたデータが、事前にＧコードと関連付けされ、電子ペン１によりワンタッチで入力された（新聞や、専門誌のＴＶ番組表示欄４０に印刷された）ドットパターンデータであるか、（録画予約シート４に記載され、機能情報エリアのチェックによって送信された）Ｇコードのストロークデータであるかを判断し、Ｇコードと関連付けられたドットパターンデータの場合は、ＰＬＳサーバと、ＡＳＨサーバによって、事前に登録されたＧコード群とドットパターンデータの照合を行い、Ｇコードを生成し、ＧコードによってＧコードの対象番組の録画予約を行う。
電子ペン１から送信されたデータがＧコードのストロークデータの場合は、ＰＬＳサーバと、ＡＳＨサーバによってテキストデータに変換され、変換されたＧコードでＧコードの対象番組の録画予約を行う。
【００２３】
図２を参照して、電子ペン読取専用ドットパターンが印刷された録画予約シート４の一例について説明する。
本実施の形態では、録画予約シート４には、Ｇコード記載欄４１，予約機能エリア４２，予約取消機能エリア４３がセットになった入力枠が複数印刷されており、冊子状になっている。
Ｇコード記載欄４１，予約機能エリア４２，予約取消機能エリア４３にはそれぞれ事前に予約登録されたドットパターンが印刷され、例えば、Ｇコード記載欄４１に電子ペン１でＧコードを数字で記載した場合に、記載された文字列がＧコードであることがＰＬＳサーバとＡＳＨサーバ、および、録画装置２に登録されている。予約機能エリア４２，予約取消機能エリア４３をタッチ、または、マークした場合に、送信されるドット情報も同様ＰＬＳサーバとＡＳＨサーバ、および、録画装置２に登録されている。
複数綴じ合わされた録画予約シート４には同じドットパターンが印刷されており、録画予約者に提供される前に前述のような登録作業が行われる。
【００２４】
図３を参照して、電子ペン読取専用ドットパターンが印刷されたＴＶ番組表示欄４０の録画予約領域の一例について説明する。
図２で説明したと同様の事前準備段階を経て新聞，専門誌にドットパターンが割り当てられ、印刷される。
新聞のＴＶ番組表示欄４０を示すａ図の「丸」でマークした部分の拡大図がｂ図である。
ＴＶ番組表示欄４０の一部を拡大すると、ｂ図に示すように５時５５分から６時１５分の間は「ニュース」で、Ｇコード５として「１２３４５」の５桁の数字が印刷されている。また、６時１５分からは「アニメＡＢＣ」と印刷され、その下部にＧコードとして「７８９０１２３４」の８桁の数字が印刷されている。
Ｇコードが印刷されたエリアには、Ｇコードと関連付けられたドットパターン４０１が印刷されている。
図３に示す実施形態の場合は、Ｇコードと関連付けられたドットパターン４０１エリアのどこかを電子ペン１でタッチすると、Ｇコードと関連付けられたドットパターンのドット情報が録画装置２に送信されＧコードに変換され、録画予約手続きが録画装置２内で行われる。
【００２５】
図３では図示していないが、ＴＶ番組表示欄４０の、Ｇコードが印刷されていない所定の場所に図２で説明したような録画予約領域が設けられる場合もある。
この場合は、図２で説明したような要領で、録画予約領域のＧコード記載欄４１に電子ペン１でＧコードを記載し、予約機能エリア４２，予約取消機能エリア４３でそれぞれ予約，取消操作を行う。
なお、電子ペン専用ドットパターンを利用して、ＴＶ番組表示欄４０の近くに印刷されたアンケート欄などの回答に流用することもできる。
【００２６】
図４を参照して、ＴＶ番組表示欄４０を使用して録画予約する場合の操作手順について説明する。
この操作手順図では、新聞や、専門誌に電子ペン１で読取るドットパターンが印刷されていない場合や、録画予約シート４が供給されていない場合が含まれる。
先ず、録画予約者は新聞や、専門誌のＴＶ番組表示欄４０から、録画したい番組を選択する（ステップ１：以下、Ｓ１）。
ドットパターンが印刷されているか否かを確認し（Ｓ２）、ドットパターンが印刷されている場合は、新聞や、専門誌の録画予約領域を電子ペン１でタッチ、または、チェックマークを記載する（Ｓ３）。
その結果、電子ペン１から送信されたドットパターンから、電子ペンシステム管理サーバを仲介、または、録画装置２内に組み込まれたプログラムによって録画装置２内で関連付けされたＧコードを生成し、録画装置２の予約プログラム部に送信する（Ｓ４）。
【００２７】
Ｓ２で、新聞や、専門誌のＴＶ番組表示欄４０以外の所定の場所に録画予約領域が設けられている場合（Ｓ５）は、録画予約領域のうちＧコード記載欄４１に電子ペン１でＧコードを記入（Ｓ７）し、近傍に印刷されている予約機能エリア４２，予約取消機能エリア４３のうち、録画予約する場合は予約機能エリア４２を、録画予約した後で取り消したい場合は、予約取消機能エリア４３をタッチすることによって電子ペン１から録画装置２にストロークデータによるＧコードを送信する（Ｓ８）。
また、Ｓ２で、新聞や、専門誌にドットパターンが印刷されていない場合で、録画予約シート４によって予約するようになっている場合（Ｓ６）は、電子ペン１で録画予約シート４のＧコード記載欄４１にストロークデータによるＧコードを記入（Ｓ７）し、近傍に印刷されている予約機能エリア４２，予約取消機能エリア４３のうち、録画予約する場合は予約機能エリア４２を、録画予約した後で取り消したい場合は、予約取消機能エリア４３をタッチすることによって電子ペン１から録画装置２にストロークデータによるＧコードを送信する（Ｓ８）。
Ｓ５で所定の場所に録画予約領域が設けられていない場合、および、Ｓ６で録画予約シート４が無い場合は、従来の方法で予約を行う。
【００２８】
図５を参照して、録画装置２のＧコード変換機能により録画予約する処理手順について説明する。
録画装置２は、電子ペン１からデータを受信する（Ｓ１１）。
受信データが新聞や、専門誌の番組表示欄４０に印刷されたドットパターンの座標データであるか、新聞や、専門誌に印刷された所定の録画予約領域または録画予約シート４に記載されたＧコードのストロークデータであるか、を判断する（Ｓ１２）。
受信データがドットパターンの座標データの場合は、外部のＰＬＳサーバとＡＳＨサーバ、または、録画装置２内に組み込まれたＰＬＳ，ＡＳＨサーバの機能によってドットパターンの座標データと事前に登録されたＧコード群の照合を行い、対応するＧコードに変換する（Ｓ１３）。
受信データがストロークデータの場合は、外部のＰＬＳサーバとＡＳＨサーバ、または、録画装置２内に組み込まれたＰＬＳサーバとＡＳＨサーバの機能によってテキストデータに変換（Ｓ１４）する。
Ｓ１３，Ｓ１４で生成されたＧコードと、Ｇコード処理プログラムによって録画予約を行う（Ｓ１５）。
【産業上の利用可能性】
【００２９】
ＴＶ番組表示欄などに印刷された、Ｇコードと関連付けられたドットパターンに、電子ペンを使用してチェックすることによって録画番組を予約する録画予約システム、および、ドットパターンが印刷された用紙に、電子ペンを使用してＧコードを記載することによって録画番組を予約する録画予約システムに利用できる。
【図面の簡単な説明】
【００３０】
【図１】本実施形態の録画予約システムを構築するための装置，媒体について説明するための図である。
【図２】電子ペン読取専用ドットパターンが印刷された録画予約シートの一例について説明するための図である。
【図３】電子ペン読取専用ドットパターンが印刷されたＴＶ番組表示欄の録画予約領域の一例について説明するための図である。
【図４】ＴＶ番組表示欄を使用して録画予約する場合の操作手順について説明するための図である。
【図５】録画装置のＧコード変換機能により録画予約する処理手順について説明するための図である。
【図６】電子ペンについて説明するための図である。
【図７】電子ペン読取専用ドットパターンについて説明するための図である。
【符号の説明】
【００３１】
１      電子ペン
２      録画装置
３      電子ペンシステム管理サーバ
４      録画予約シート
５      Ｇコード
４０    ＴＶ番組表示欄
４１    Ｇコード記載欄
４２    予約機能エリア
４３    予約取消機能エリア
１０１  筐体
１０２  通信部
１０３  記憶部
１０４  制御部
１０５  撮像部
１０６  筆記部
１０７  圧力センサ
１０８  インクカートリッジ
４０１  ドットパターン
【図１】
0004614345.tif 000002
【図２】
0004614345.tif 000003
【図３】
0004614345.tif 000004
【図４】
0004614345.tif 000005
【図５】
0004614345.tif 000006
【図６】
0004614345.tif 000007
【図７】
0004614345.tif 000008